(57)【要約】【課題】据付性及び安全性の向上を図り得るエレベーター用昇降路頂部機器の据付方法の提供。【解決手段】上記課題は、昇降路内に立設されて乗りかご若しくはつり合いおもりの昇降を案内するガイドレール１、１Ａの頂部からそれぞれ下方へ吊設されて、かつ、一対の長尺ロッド４及び短尺ロッド５からなる一対のロッド部材３を設け、この一対のロッド部材３により、昇降路頂部機器が設けられるビーム部材７を支持してなるエレベーター用昇降路頂部機器の据付方法において、ビーム部材７を、第１の揚重機で吊り上げて一対のロッド部材３のそれぞれの長尺ロッド４により支持した後、この長尺ロッド４に案内されながら前記ビーム部材７を、第２の揚重機１０、１０Ａでさらに吊り上げて一対のロッド部材３のそれぞれの短尺ロッド５により支持することによって、達成できる。【選択図】図８
2007186274.tif 000002
【特許請求の範囲】
【請求項１】
昇降路内に立設されて乗りかご若しくはつり合いおもりである昇降体の昇降を案内するそれぞれ一対のガイドレールのうち、どちらか一対のガイドレールの頂部からそれぞれ下方へ吊設されて、かつ、一対の長尺ロッド及び短尺ロッドからなるところの一対のロッド部材を設け、この一対のロッド部材により、昇降路頂部機器が設けられるビーム部材を支持するようにしたエレベーター用昇降路頂部機器の据付方法において、
前記ビーム部材を、第１の揚重機で吊り上げて前記一対のロッド部材のそれぞれの前記長尺ロッドにより支持した後、この長尺ロッドに案内されながら前記ビーム部材を、第２の揚重機でさらに吊り上げて前記前記一対のロッド部材のそれぞれの前記短尺ロッドにより支持するようにしたことを特徴とするエレベーター用昇降路頂部機器の据付方法。
【請求項２】
前記第２の揚重機は、前記ガイドレールの頂部に設置し、かつ、前記ビーム部材よりも下方に設けたビーム受け台を吊り点として、前記ビーム部材を揚重することを特徴とする請求項１記載のエレベーター用昇降路頂部機器の据付方法。
【請求項３】
一対のガイドレールの一方に設けた前記上部サポートと、一対のガイドレールの他方に設けた前記上部サポートの対角線上に位置するように、それぞれ、前記長尺ロッドと前記短尺ロッドを、取り外し可能に固定したことを特徴とする請求項１若しくは２記載のエレベーター用昇降路頂部機器の据付方法。
【発明の詳細な説明】
【技術分野】
【０００１】
本発明は、エレベーター用昇降路頂部機器の据付方法に関するものである。
【背景技術】
【０００２】
近年、マンションなどの建物には、機械室を設けないエレベーター（以下、機械室レスエレベーターと称する。）が多数、設置させるようになってきた。そして、この機械室レスエレベーターでは、昇降路内に立設されて乗りかご若しくはつり合いおもりの昇降を案内するガイドレールの上部に、ビーム部材を支持して、このビーム部材に巻上機やプーリー等の昇降路頂部機器を設けるようにしていた。しかも、ビーム部材をガイドレールの上部に支持する場合に、一対のガイドレールの頂部からそれぞれ下方へ吊設された一対のロッド部材を設け、この一対のロッド部材により、昇降路頂部機器が設けられるビーム部材を支持することによって、昇降路頂部機器を昇降路内頂部に据え付けるようにしたエレベーター用昇降路頂部機器の据付方法が知られていた（例えば、特許文献１参照）。
【特許文献１】特開２００１−１７１９５４号公報（段落番号００１８〜段落番号００２４、図１〜図３）
【発明の開示】
【発明が解決しようとする課題】
【０００３】
しかしながら、上述した特開２００１−１７１９５４号公報に記載された従来のエレベーター用昇降路頂部機器の据付方法では、ガイドレールの頂部から下方へ吊設されたロッド部材にビーム部材を固定することができる高さ位置まで、ビーム部材を吊り上げなければ、ビーム部材をガイドレールの上端部分の所定位置に支持することができないという不具合があった。
【０００４】
本発明は、上記の不具合に鑑みてなされたもので、その目的とするところは、ガイドレールの頂部から下方へ吊設されたロッド部材にビーム部材を固定することができる高さ位置まで、ビーム部材を、円滑に吊り上げることを可能にして据付性の向上を可能にするエレベーター用昇降路頂部機器の据付方法を提供することにある。
【課題を解決するための手段】
【０００５】
上記目的を達成するために、本発明は、昇降路内に立設されて乗りかご若しくはつり合いおもりである昇降体の昇降を案内するそれぞれ一対のガイドレールのうち、どちらか一対のガイドレールの頂部からそれぞれ下方へ吊設されて、かつ、一対の長尺ロッド及び短尺ロッドからなるところの一対のロッド部材を設け、この一対のロッド部材により、昇降路頂部機器が設けられるビーム部材を支持するようにしたエレベーター用昇降路頂部機器の据付方法において、前記ビーム部材を、第１の揚重機で吊り上げて前記一対のロッド部材のそれぞれの前記長尺ロッドにより支持した後、この長尺ロッドに案内されながら前記ビーム部材を、第２の揚重機でさらに吊り上げて前記前記一対のロッド部材のそれぞれの前記短尺ロッドにより支持するようにしたこと特徴としている。
【０００６】
さらに、本発明は、前記第２の揚重機は、前記ガイドレールの頂部に設置し、かつ、前記ビーム部材よりも下方に設けたビーム受け台を吊り点として、前記ビーム部材を揚重することを特徴としている。
【０００７】
さらに、本発明は、一対のガイドレールの一方に設けた前記上部サポートと、一対のガイドレールの他方に設けた前記上部サポートの対角線上に位置するように、それぞれ、前記長尺ロッドと前記短尺ロッドを、取り外し可能に固定したこと特徴としている。
【発明の効果】
【０００８】
本発明によれば、ガイドレールの頂部から下方へ吊設されたロッド部材にビーム部材を固定することができる高さ位置まで、ビーム部材を、円滑に、かつ、安全に吊り上げることを可能にするエレベーター用昇降路頂部機器の据付方法がえられた。
【発明を実施するための最良の形態】
【０００９】
以下、本発明の一実施形態に係るエレベーター用昇降路頂部機器の据付方法を、図１〜図１０に基づいて、詳説する。
【００１０】
図１〜図７に示すように、本発明の一実施形態に係るエレベーターの一対のガイドレール１、１Ａの頂部には、それぞれ鋼材製の上部サポート２、２Ａが上部サポート用締結具１２によって取り外し可能に固定される。この上部サポート２、２Ａには、それぞれロッド部材３が設けられる。ロッド部材３は、一対の長尺ロッド４及び短尺ロッド５からなり、ガイドレール１、１Ａの長手方向に沿って下方へ吊設されるようにしてある（特に、図２参照）。
【００１１】
一対のガイドレール１、１Ａには、図２に示すように、それぞれ鋼材製のビーム受け台６が受台用締結具６Ａによって取り外し可能に固定されている。一対のビーム受け台６には、鋼材製のビーム部材７を載置した後、そのビーム部材７がビーム部材用締結具７Ａによって取り外し可能に固定される。ビーム部材７には、図４に示すように、巻上機８やプーリー９などからなる昇降路頂部機器が取り付けられる。
【００１２】
図５〜図６に示すように、一対のビーム受け台６に載置されたビーム部材７を揚重するための第２の揚重機１０、１０Ａが、ガイドレールの頂部に固定された上部サポート２、２Ａに、それぞれ設置される。第２の揚重機１０、１０Ａは、ビーム受け台６を吊り点として、ビーム部材７を揚重するように、玉掛けワイヤー１１、１１Ａに装着される。第２の揚重機１０、１０Ａは、小型のチェーンブロックから構成されている。
【００１３】
長尺ロッド４は、丸鋼からなり、全外周若しくは上下端外周にねじ部が形成されている。長尺ロッド４は、その上端を上部サポート２、２Ａの貫通穴（図示せず）を上方に通した後、その上端に連結ナット４Ａを螺着させることで、上部サポート２、２Ａに吊設する。長尺ロッド４には、長尺ロッド４の下端をビーム受け台６の貫通穴（図示せず）を下方に通した後、その下端に支持ナット４Ｂを螺着させることで、ビーム受け台６が取り付けられる。長尺ロッド４の長さは、ビーム受け台６上での昇降路頂部機器等の据付作業スペースが十分に確保することを可能にする寸法に設定されている。
【００１４】
短尺ロッド５は、丸鋼からなり、全外周若しくは上下端外周にねじ部が形成されている。短尺ロッド５は、その上端を上部サポート２、２Ａの貫通穴（図示せず）を上方に通した後、その上端に連結ナット５Ａを螺着させることで、上部サポート２、２Ａに吊設する。短尺ロッド５には、短尺ロッド５の下端をビーム受け台６の貫通穴（図示せず）を下方に通した後、その下端に支持ナット４Ｂを螺着させることで、ビーム受け台６が取り付けられる。
【００１５】
次に、本発明の一実施形態に係るエレベーター用昇降路頂部機器の据付方法の実行手順を、図８に基づき、図２〜図７を参照しながら、詳細に説明する。
【００１６】
まず、図８のステップＳ１に示すように、ガイドレール１、１Ａの上端に上部サポート２、２Ａを上部サポート用締結具１２で固定する。なお、ここで、ガイドレール１、１Ａは、乗りかご用ガイドレール若しくはつり合いおもり用ガイドレールのいずれでもよい。
【００１７】
次いで、上部サポート２、２Ａの固定作業が終了したならば、図８のステップＳ２に進み、一対の上部サポート２、２Ａには、その上部サポート２と上部サポート２Ａの対角線（図１に示す一点鎖線Ｐ１）上に位置するように、それぞれ、長尺ロッド４を、連結ナット４Ａを用いて取り付ける（図１及び図２参照）。
【００１８】
次いで、上部サポート２、２Ａにそれぞれ長尺ロッド４を取り付けたならば、図８のステップＳ３に進み、上部サポート２と上部サポート２Ａの対角線（図１に示す一点鎖線Ｐ２）上に位置するように、それぞれ短尺ロッド５を、連結ナット５Ａを用いて取り付ける（図１及び図２参照）。
【００１９】
次いで、上部サポート２、２Ａに短尺ロッド５を取り付けたならば、図８のステップＳ４に進み、ガイドレール１、１Ａには、上部サポート２、２Ａの下方に位置するところの所定個所に、それぞれ、ビーム受け台６をビーム部材用締結具７Ａで固定するとともに、２本の長尺ロッド４の最下端にビーム受け台６を、支持ナット４Ｂを用いて、取り付ける。この取り付けは、ビーム受け台６に設けた貫通穴（図示せず）に長尺ロッド４の最下端を通した後、その最下端に形成したねじ部に支持ナット４Ｂを螺着させることにより、行われる（図２参照）。
【００２０】
次いで、長尺ロッド４の最下端にビーム受け台６を取り付けたならば、図８のステップＳ５に進み、第１の揚重機（図示せず）によって、プーリー９を取り付けたビーム部材７をビーム受け台６上に揚重した後、そのビーム部材７の両端を、ビーム受け台６に載置し、そのビーム受け台６にビーム部材７の両端をビーム部材用締結具７Ａで固定することにより、ビーム部材７がガイドレール１、１Ａに取り付けられる（図２参照）。
【００２１】
次いで、ビーム部材７がガイドレール１、１Ａに取り付けたならば、図８のステップＳ６に進み、第１の揚重機（図示せず）によって、ビーム部材７上に巻上機８を含むマシンを揚重した後、その巻上機８を含むマシンをビーム部材７に取り付ける（図４参照）。
【００２２】
次いで、巻上機８を含むマシンをビーム部材７に取り付けたならば、図８のステップＳ７に進み、ガイドレール１、１Ａの上端に固定した上部サポート２、２Ａに第２の揚重機１０、１０Ａを設置するとともに、ビーム部材７に玉掛けワイヤー１１、１１Ａを巻きつけた後、その玉掛けワイヤー１１、１１Ａに、第２の揚重機１０、１０Ａのフックを掛けるとともに、ガイドレール１、１Ａとビーム受け台６との固定を解除する（図５参照）。
【００２３】
次いで、第２の揚重機１０、１０Ａを作動させることにより、図８のステップＳ８に示すように、ビーム受け台６の貫通穴を短尺ロッド５の最下端が通り抜けて、その最下端に形成したねじ部に支持ナット５Ｂを螺着させることが可能となる位置まで、２本の長尺ロッド４で案内された状態で、ビーム部材７及びビーム受け台６を、吊り上げられる（図６参照）。
【００２４】
次いで、図８のステップＳ９に示すように、２本の短尺ロッド５の最下端に支持ナット５Ｂを螺着させることで、２本の短尺ロッド５の最下端にビーム受け台６を取り付けるとともに、２本の長尺ロッド４を、上部サポート２、２Ａ及びビーム受け台６から取外す（図６及び図７を参照）。
【００２５】
次いで、図８のステップＳ１０に示すように、取外した２本の長尺ロッド４に替えて、２本の短尺ロッド５を付け替える。
【００２６】
次いで、図８のステップＳ１１に示すように、４本の短尺ロッド５で案内された状態で、第２の揚重機１０、１０Ａを作動させることにより、ビーム部材７及びビーム受け台６を、正規位置まで吊り上げる（揚重する）。
【００２７】
次いで、図８のステップＳ１２に示すように、ビーム部材７及びビーム受け台６を、正規位置まで吊り上げたならば、短尺ロッド５の最下端に螺着させた支持ナット５Ｂを締め上げることでとともに、図８のステップＳ１３に示すように、ガイドレール１、１Ａとビーム受け台６との締結などの、各部の締め付け作業を行う。
【００２８】
最後に、図８のステップＳ１４に示すように、第２の揚重機１０、１０Ａ及び玉掛けワイヤー１１、１１Ａを、取外すことによって、据付作業が終了する。
【００２９】
以上のように、上記実施形態に係るエレベーター用昇降路頂部機器の据付方法の実行手順によれば、短尺ロッド５の下端外周に支持ナット５Ｂを螺着させることが可能となる位置までは、２本の長尺ロッド４で案内された状態で、ビーム部材７が吊り上げられるとともに、短尺ロッド５の下端外周に支持ナット５Ｂを螺着させた後、４本の短尺ロッド５で案内された状態で、ビーム部材７を正規位置まで吊り上げられるため、その吊り上げを、円滑に、かつ、安全に行うことができる。
【００３０】
さらに、上記実施形態に係るエレベーター用昇降路頂部機器の据付方法によれば、長尺ロッド４の長さを、エレベーター設置現場の事情に合わせた適切な寸法とすることにより、ビーム受け台６上での昇降路頂部機器等の据付作業スペースを十分に確保することができる。
【００３１】
さらに、上記実施形態に係るエレベーター用昇降路頂部機器の据付方法によれば、巻上機８を取り付けない状態のビーム部材７を昇降路下部からビーム受け台６に載置するまでは、一対の上部サポート２、２Ａに設置した第２の揚重機１０、１０Ａとは別個に設置された第１の揚重機により、吊り上げて、その後、ビーム受け台６に載置した状態のビーム部材７に巻上機８を取り付けた後、その巻上機８を取り付けたビーム部材７を、第２の揚重機１０、１０Ａにより、正規位置まで吊り上げるようにしているので、ビーム部材７の吊る上げ作業の作業性を向上させることができる。
【００３２】
さらに、上記実施形態に係るエレベーター用昇降路頂部機器の据付方法によれば、一対のガイドレール１、１Ａの一方に設けた上部サポート２と、一対のガイドレール１、１Ａの他方に設けた上部サポート２Ａの対角線上に位置するように、それぞれ、長尺ロッド４を設けるようにしているので、ビーム部材７をバランスよく、吊設することができ、安全である。
【図面の簡単な説明】
【００３３】
【図１】本発明の一実施形態に係るエレベーターのガイドレールの頂部に上部サポートを取り付けた状態を示す平面図である。
【図２】本発明の一実施形態に係るエレベーター用昇降路頂部機器の据付方法に用いられる一対の長尺ロッドでビーム部材を支持した状態を示す要部正面図である。
【図３】図２の要部側面図である。
【図４】本発明の一実施形態に係るエレベーター用昇降路頂部機器の据付方法に用いられる一対の長尺ロッドで支持したビーム部材上にマシンに取り付けた状態を示す要部正面図である。
【図５】本発明の一実施形態に係るエレベーター用昇降路頂部機器の据付方法に用いられる上部サポートに第２の揚重機を取り付けてビーム部材に玉掛けワイヤーを巻きつけた状態を示す要部正面図である。
【図６】本発明の一実施形態に係るエレベーター用昇降路頂部機器の据付方法に用いられる一対の短尺ロッドでビーム部材を支持した状態を説明するための要部正面図である。
【図７】本発明の一実施形態に係るエレベーター用昇降路頂部機器の据付方法に用いられる一対の短尺ロッドでビーム部材を支持した状態を説明するための要部側面図である。
【図８】本発明の一実施形態に係るエレベーター用昇降路頂部機器の据付方法の実行手順を示すフローチャートである。
【符号の説明】
【００３４】
１、１Ａ  一対のガイドレール
２、２Ａ  一対の上部サポート
３    ロッド部材
４    長尺ロッド
４Ａ  連結ナット
４Ｂ  支持ナット
５    短尺ロッド
５Ａ  連結ナット
５Ｂ  支持ナット
６    ビーム受け台
６Ａ  受台用締結具
７    ビーム部材
７Ａ  ビーム部材用締結具
８    巻上機
９    プーリー
１０、１０Ａ  第２の揚重機
１１、１１Ａ  玉掛けワイヤー
１２  上部サポート用締結具
【図１】
2007186274.tif 000003
【図２】
2007186274.tif 000004
【図３】
2007186274.tif 000005
【図４】
2007186274.tif 000006
【図５】
2007186274.tif 000007
【図６】
2007186274.tif 000008
【図７】
2007186274.tif 000009
【図８】
2007186274.tif 000010